(57)【特許請求の範囲】
【請求項１】
磁束を発生させる磁気回路が配設されたベース部材と、ディスクに光ビームを収束させる対物レンズを保持していると共に前記磁束を横切るコイルが取着されたレンズホルダと、一端部が前記コイルに接続されて前記レンズホルダを弾性的に支持している複数本の導電性のワイヤと、前記各ワイヤが個別に挿通されるテーパ状のガイド孔を有して前記ベース部材に固着された合成樹脂製の支持部材と、この支持部材の背面側に固着されて前記各ワイヤの他端部が接続された背面基板とを備え、前記ガイド孔の先端部分によって前記ワイヤが位置決め可能な光学式ピックアップの対物レンズ駆動装置において、
前記ガイド孔は、開口面積が相対的に広い基端部の断面形状が円形または八角形以上の多角形であると共に、開口面積が相対的に狭い先端部の断面形状が正方形であり、この正方形の１辺の長さを前記ワイヤの直径よりも僅かに大きな値に設定したことを特徴とする光学式ピックアップの対物レンズ駆動装置。
【請求項２】
請求項１の記載において、前記ガイド孔のテーパ面の傾斜角度が５９度以上であることを特徴とする光学式ピックアップの対物レンズ駆動装置。
【発明の詳細な説明】
【技術分野】
【０００１】
本発明は、ＤＶＤやＣＤ等のディスク状記録媒体に対して情報を記録／再生する光学式ピックアップに係り、特に、対物レンズを保持するレンズホルダが複数本のワイヤによって弾性的に支持されている光学式ピックアップの対物レンズ駆動装置に関するものである。
【背景技術】
【０００２】
一般的に、この種の光学式ピックアップの対物レンズ駆動装置は、対物レンズを保持するレンズホルダの両側部が合計４本（または６本）の導電性のワイヤによって弾性的に支持されている。つまり、各ワイヤの自由端側がレンズホルダを支えており、各ワイヤの固定端側は支持部材および背面基板に固定されている。背面基板は支持部材の背面側に固着されており、この支持部材は磁束を発生させる磁気回路（マグネットやヨーク）が配設されたベース部材上に固着されている。対物レンズはディスク状記録媒体（以下「ディスク」と略称）の記録面と対向する位置に配置され、光学式ピックアップの光源（半導体レーザ）から出射された光ビームを対物レンズで収束させて該記録面に照射することによって情報の記録／再生が行われ、その際、光ビームのスポット径をディスクの記録面に対して制御するフォーカスサーボとトラッキングサーボがかけられる。前記磁束を横切るフォーカスコイルとトラッキングコイルがレンズホルダに取着されたムービングコイル方式の場合、各ワイヤの一端部はレンズホルダ側のフォーカスコイルおよびトラッキングコイルに接続され、各ワイヤの他端部は背面基板に接続されている。この背面基板がフレキシブル配線基板を介して外部駆動回路と接続されるため、所定のワイヤを介してフォーカスコイルに通電することにより、対物レンズの光軸に沿った方向に電磁力を発生させてその方向へレンズホルダを駆動することができ、これにより対物レンズのフォーカス補正が可能となる。同様に、別のワイヤを介してトラッキングコイルに通電することにより、対物レンズの光軸と直交する方向に電磁力を発生させてその方向へレンズホルダを駆動することができ、これにより対物レンズのトラッキング補正が可能となる。
【０００３】
このような対物レンズ駆動装置の組立工程でワイヤを取り付ける際には、予め所定の長さに切断されたワイヤを固定部側（支持部材側）のガイド孔に挿通し、さらに該ワイヤの先端部を可動部側（レンズホルダ側）のガイド孔に挿通した後、固定部側のガイド孔内に接着剤を充填してワイヤを固定するようにしている。また、ワイヤの位置ずれはフォーカス補正やトラッキング補正の動作特性を損なう大きな要因となるため、ワイヤはガイド孔に挿通することによって取付位置が精度良く規定されなければならない。それゆえ、通常は、先窄まりなテーパ状に形成したガイド孔にワイヤを挿通すると、このガイド孔の先端部によってワイヤが位置決めされるようになっている。
【０００４】
図７は従来の対物レンズ駆動装置におけるワイヤの取付構造を示す説明図である（例えば、特許文献１参照）。図７に示すように、ワイヤ２０は、背面基板２１の遊挿孔２１ａと支持部材２２のガイド孔２２ａとを貫通してレンズホルダ２３のガイド孔２３ａに挿通されている。このワイヤ２０は、背面基板２１の背面において遊挿孔２１ａの周囲に形成されている図示せぬランド部に半田付けされると共に、レンズホルダ２３のガイド孔２３ａを通過した先でフォーカスコイルまたはトラッキングコイルの導出部分と半田付けされる。背面基板２１の遊挿孔２１ａはワイヤ２０が容易に挿通できる程度に大径な円柱状に形成されている。支持部材２２とレンズホルダ２３はいずれも合成樹脂の成形品であり、支持部材２２のガイド孔２２ａは略円錐状で、その先端部だけがワイヤ２０よりも若干大径な円筒状に形成されている。レンズホルダ２３のガイド孔２３ａも略円錐状であり、その先端部だけがワイヤ２０よりも若干大径な円筒状に形成されている。ガイド孔２３ａの位置はレンズホルダ２３の重心などから一義的に規定されるので、ワイヤ２０の弾性変形が容易な部分（有効部分）に所要の長さＬを確保するために、支持部材２２のガイド孔２２ａは比較的短寸な奥行き寸法（例えば０．６ｍｍ程度）に設定されている。そして、ワイヤ２０を取り付ける際には、ワイヤ２０を背面基板２１の遊挿孔２１ａに挿通した後、支持部材２２のガイド孔２２ａの円錐面でガイドすることによって該ガイド孔２２ａに挿通させ、さらに、レンズホルダ２３のガイド孔２３ａの円錐面でガイドすることによって該ガイド孔２３ａに挿通させる。こうしてワイヤ２０をガイド孔２２ａ，２３ａに挿通して位置決めした後、図示せぬ接着剤をガイド孔２２ａ内に塗布するなどしてワイヤ２０を位置決め状態に固定すると共に、ワイヤ２０の両端部をコイルの導出部分と背面基板２１のランド部に半田付けする。
【先行技術文献】
【特許文献】
【０００５】
【特許文献１】特開平１０−２８９４５５号公報
【発明の概要】
【発明が解決しようとする課題】
【０００６】
前述したように、レンズホルダと支持部材のテーパ状のガイド孔に挿通されるワイヤは、これらガイド孔の先端部によって位置決めされるので、ワイヤの位置決め精度を高めるためには、ガイド孔の先端部の内径をワイヤの外径と略同等に設定しておけば良い。例えば、図７に示す従来例の場合、略円錐状に形成されているガイド孔２２ａやガイド孔２３ａの先端部を、ワイヤ２０がほとんど隙間なく挿通できる程度の円筒状に形成しておけば、このワイヤ２０を高い位置精度で取り付けることが可能となる。しかしながら、樹脂モールド品である支持部材２２やレンズホルダ２３には成形バリが生じるため、ガイド孔２２ａやガイド孔２３ａの先端部を極力細くした場合、そこに生じた僅かな成形バリによってワイヤ２０が挿通不能になってしまう虞がある。それゆえ、従来は、ガイド孔２２ａやガイド孔２３ａの先端部の内径をワイヤ２０の外径の２倍程度に設定しておくことが多く、その分、ワイヤ２０に対する位置決め効果は不十分であった。
【０００７】
そこで本発明者らは、図８に示すように、支持部材２２のガイド孔２２ａを四角錐状に形成すると共に、このガイド孔２２ａの先端部２２ｂの断面形状を正方形にしたものについて検討した。このような四角錐状の場合、円錐状と同様にガイド孔２２ａの先端部２２ｂに微小な成形バリは生じるものの、この成形バリは主に正方形の四隅の角部に発生するため、先端部２２ｂの断面形状をワイヤに外接させうる程度に小径な正方形したとしても、成形バリがワイヤの挿通の妨げになりにくくなると推測される。しかしながら、図９の断面図に示すように、奥行き寸法が短い支持部材２２のガイド孔２２ａを四角錐状に形成した場合、このガイド孔２２ａの稜線部２２ｃの傾斜が過度に緩やかになってしまい、かつ、稜線部２２ｃによって画成されるＶ字状溝にワイヤ２０が嵌合しやすくなるため、ガイド孔２２ａ内へ挿入したワイヤ２０が稜線部２２ｃの近傍に当接すると、摺動抵抗が不所望に大きくなって挿通作業に支障をきたしやすいことが判明した。なお、図９は図８のＡ−Ａ線に沿う断面図を示しており、図９中の鎖線は図８のＢ−Ｂ線に沿って切断した場合のガイド孔２２ａのテーパ面（内壁面）を示している。また、レンズホルダ２３のガイド孔２３ａは支持部材２２のガイド孔２２ａに比して奥行き寸法が長いため、このガイド孔２３ａを四角錐状に形成しても稜線部の傾斜が過度に緩やかになることはない。
【０００８】
本発明は、このような従来技術の実情に鑑みてなされたもので、その目的は、ワイヤを支持部材のガイド孔に高精度に位置決めでき、その挿通作業を容易に行える光学式ピックアップの対物レンズ駆動装置を提供することにある。
【課題を解決するための手段】
【０００９】
上記の目的を達成するために、本発明は、磁束を発生させる磁気回路が配設されたベース部材と、ディスクに光ビームを収束させる対物レンズを保持していると共に前記磁束を横切るコイルが取着されたレンズホルダと、一端部が前記コイルに接続されて前記レンズホルダを弾性的に支持している複数本の導電性のワイヤと、前記各ワイヤが個別に挿通されるテーパ状のガイド孔を有して前記ベース部材に固着された合成樹脂製の支持部材と、この支持部材の背面側に固着されて前記各ワイヤの他端部が接続された背面基板とを備え、前記ガイド孔の先端部によって前記ワイヤが位置決め可能な光学式ピックアップの対物レンズ駆動装置において、前記ガイド孔は、開口面積が相対的に広い基端部の断面形状が円形または八角形以上の多角形であると共に、開口面積が相対的に狭い先端部の断面形状が正方形であり、この正方形の１辺の長さを前記ワイヤの直径よりも僅かに大きな値に設定した。
【００１０】
このようにワイヤが挿通される支持部材のテーパ状のガイド孔の先端部の断面形状を、ワイヤに外接させうる程度に小径な正方形となせば、ガイド孔の先端部の四隅に生じやすい成形バリがワイヤの挿通を損なわず、かつ、該先端部の四隅以外の部分でワイヤを精度良く位置決めすることが可能となる。また、テーパ状のガイド孔の基端部の断面形状を円形または八角形以上の多角形に形成し、このガイド孔の全体形状が略円錐状または八角錐以上の略多角錐状となるようにしておけば、ガイド孔の奥行き寸法が短くてもテーパ面（内壁面）の傾斜はさほど緩やかにはならず、かつ、ワイヤとの嵌合が懸念されるようなＶ字状溝が該テーパ面の稜線部付近に画成されることもなくなる。それゆえ、このガイド孔内へワイヤを挿通させる際に摺動抵抗が不所望に大きくならず、ワイヤの挿通作業を円滑に行うことができる。
【００１１】
上記の構成において、ガイド孔のテーパ面の傾斜角度が５９度以上であると、このガイド孔内へワイヤを挿通させる際の摺動抵抗を十分に抑制することができて好ましい。
【発明の効果】
【００１２】
本発明による光学式ピックアップの対物レンズ駆動装置では、ワイヤが挿通される支持部材のテーパ状のガイド孔の先端部の断面形状を、ワイヤに外接させうる程度に小径な正方形となしているため、成形バリの影響を受けずにワイヤを精度良く位置決めすることができる。また、支持部材のガイド孔の全体形状が略円錐状または八角錐以上の略多角錐状となるようにしてあるため、このガイド孔内へワイヤを挿通させる際に摺動抵抗が不所望に大きくならず、ワイヤの挿通作業を円滑に行うことができる。
【図面の簡単な説明】
【００１３】
【図１】本発明の実施形態例に係る光学式ピックアップの対物レンズ駆動装置を示す上面図である。
【図２】該光学式ピックアップ全体の上面図である。
【図３】該光学式ピックアップ全体の斜視図である。
【図４】図１に示す対物レンズ駆動装置の要部説明図である。
【図５】図４に示す支持部材のガイド孔の正面図である。
【図６】ガイド孔の変形例を示す正面図である。
【図７】従来の対物レンズ駆動装置におけるワイヤの取付構造を示す説明図である。
【図８】対物レンズ駆動装置の支持部材のガイド孔を四角錐状に形成した場合の正面図である。
【図９】図８のＡ−Ａ線に沿う断面図である。
【発明を実施するための形態】
【００１４】
以下、本発明の実施形態例について図面を参照しながら説明する。本実施形態例に係るアクチュエータ（対物レンズ駆動装置）３は図１に示すような外観を呈し、図２と図３に示す光学式ピックアップ１に組み込まれている。
【００１５】
まず、この光学式ピックアップ１の全体構成について説明する。光学式ピックアップ１は、アルミニウム等からなるシャーシ２と、シャーシ２の長手方向の一端部に固設された図示せぬ受発光ユニットと、シャーシ２に担持された対物レンズ駆動装置であるアクチュエータ３と、シャーシ２内に配置された図示せぬ光学部品や回路基板を覆うカバー４と、シャーシ２の外部へ導出されたフレキシブル配線基板５とによって概略構成されている。使用に際しては、シャーシ２がディスクプレーヤ内の図示せぬガイドシャフトに沿って直線的に移送されるため、この光学式ピックアップ１はディスクの半径方向へ往復移動できるようになっている。前記受発光ユニットは半導体レーザと光検出器をユニット化したものであり、この受発光ユニットはフレキシブル配線基板５を介して外部駆動回路と接続される。また、アクチュエータ３の後述する背面基板１０もフレキシブル配線基板５を介して外部駆動回路と接続される。
【００１６】
アクチュエータ３は、対物レンズ６が取り付けられた合成樹脂製のレンズホルダ７と、このレンズホルダ７を弾性的に支持する４本のワイヤ８と、各ワイヤ８の基端側が挿通された合成樹脂製の支持部材９と、この支持部材９の背面に固着された背面基板１０と、支持部材９や磁気回路１１が配設されたベース部材１２とを備えている。なお、磁気回路１１はマグネットやヨークを組み合わせて構成されており、ベース部材１２はヨークの一部を兼ねている。
【００１７】
レンズホルダ７には、磁気回路１１が発生する磁束を横切るコイル（フォーカスコイルとトラッキングコイル）が取着されている。これらのコイルと磁気回路１１とによって、レンズホルダ７を駆動する電磁駆動手段が構成されている。対物レンズ６はレンズホルダ７の上面に保持されており、この対物レンズ６はディスクの記録面と対向する位置に配置される。
【００１８】
ワイヤ８は導電性の金属線材からなり、その断面形状は直径０．１１ｍｍの円形である。レンズホルダ７の左右両側部にそれぞれ上下２本ずつ、合計で４本のワイヤ８が取り付けられており、これら各ワイヤ８によってレンズホルダ７は弾性的に支持されている。すなわち、各ワイヤ８は固定端側が支持部材９と背面基板１０に固定されており、各ワイヤ８の自由端側がレンズホルダ７を支えている。図４に示すように、各ワイヤ８は、背面基板１０の遊挿孔１０ａと支持部材９のガイド孔９ａとを貫通してレンズホルダ７のガイド孔７ａに挿通されている。また、各ワイヤ８は、背面基板１０の背面において遊挿孔１０ａの周囲に形成されている図示せぬランド部に半田付けされていると共に、レンズホルダ９のガイド孔９ａを通過した先でフォーカスコイルまたはトラッキングコイルの導出部分１３（図１参照）と半田付けされている。
【００１９】
背面基板１０の遊挿孔１０ａは、ワイヤ８を容易に挿通できる程度に大径な円柱状に形成されている。支持部材９のガイド孔９ａは全体的に略円錐状に形成されているが、図５に示すように、ガイド孔９ａの先端部９ｂはワイヤ８に外接させうる程度に小径な四角柱状に形成されている。ワイヤ８の弾性変形が容易な部分（有効部分）に所要の長さを確保するために、ガイド孔９ａの奥行き寸法は０．６ｍｍと短く設定されており、このうち基端側の開口端９ｃから奥へ０．５ｍｍまでが略円錐状であり、残り０．１ｍｍ分が小径な四角柱状の先端部９ｂとなっている。ガイド孔９ａは基端側の開口端９ｃが直径０．７ｍｍの円形に形成されているが、四角柱状の先端部９ｂは断面形状が正方形で、その１辺の長さがワイヤ８の直径（０．１１ｍｍ）よりも僅かに大きな０．１２５ｍｍに設定されている。したがって、ガイド孔９ａの先端部９ｂにワイヤ８を挿通させると、ワイヤ８に外接する先端部９ｂによって該ワイヤ８の径方向の位置決めが高精度に行えるようになる。なお、四角柱状の先端部９ｂに生じる成形バリはほぼ四隅に限られるため、こうした成形バリが挿通時のワイヤ８と干渉を起こす可能性は極めて低い。また、ガイド孔９ａは奥行き寸法が０．６ｍｍと短くても略円錐状のテーパ面（内壁面）の傾斜角度を６０度以上に設定することができるため、ワイヤ８の挿通作業に支障をきたすほど大きな摺動抵抗を生じる可能性も低い。
【００２０】
レンズホルダ７のガイド孔７ａも、支持部材９のガイド孔９ａと同様に、全体が略円錐状で、先端部だけがワイヤ８に外接させうる程度に小径な四角柱状に形成されている。したがって、このガイド孔７ａも先端部にワイヤ８を挿通させると、ワイヤ８に外接する該先端部によって該ワイヤ８の径方向の位置決めが高精度に行えるようになる。ただし、レンズホルダ７のガイド孔７ａは支持部材９のガイド孔９ａに比べて奥行き寸法が長いため、このガイド孔７ａはテーパ面（内壁面）の傾斜角度を大きく設定することが極めて容易である。したがって、レンズホルダ７のガイド孔７ａについては、例えば全体を略四角柱状に形成したとしても、その稜線部の傾斜が過度に緩やかになることはない。
【００２１】
アクチュエータ３の組立工程でワイヤ８を取り付ける際には、予め所定の長さに切断されたワイヤ８を背面基板１０の遊挿孔１０ａに挿通した後、支持部材９のガイド孔９ａの略円錐面でガイドしながら先端部９ｂに挿通させる。そして、ガイド孔９ａを貫通させたワイヤ８を、レンズホルダ７のガイド孔７ａの略円錐面でガイドしながら先端部に挿通させる。こうしてワイヤ８をガイド孔９ａ，７ａに挿通して位置決めした後、図示せぬ接着剤をガイド孔９ａ内およびガイド孔７ａの先端部から突出したワイヤ８とレンズホルダ７の側部との間に塗布してワイヤ８を位置決め状態で固定すると共に、ワイヤ８の両端部をコイルの導出部分１３と背面基板１０のランド部に半田付けする。
【００２２】
このように構成された光学式ピックアップ１は、半導体レーザから出射された光ビームを対物レンズ６で収束させてディスクの記録面に照射することにより情報の記録／再生が行われ、その際、光ビームのスポット径をディスクの記録面に対して制御するフォーカスサーボとトラッキングサーボがかけられる。すなわち、各ワイヤ８の一端部がレンズホルダ７側のフォーカスコイルとトラッキングコイルに接続され、各ワイヤ８の他端部が背面基板１０に接続されており、この背面基板１０がフレキシブル配線基板５を介して外部駆動回路と接続されるため、所定のワイヤ８を介してフォーカスコイルに通電することにより、対物レンズ６の光軸に沿った方向に電磁力を発生させてその方向へレンズホルダ７を駆動することができ、これにより対物レンズ６のフォーカス補正が可能となる。同様に、別のワイヤ８を介してトラッキングコイルに通電することにより、対物レンズ６の光軸と直交する方向に電磁力を発生させてその方向へレンズホルダ７を駆動することができ、これにより対物レンズ６のトラッキング補正が可能となる。
【００２３】
以上説明したように、本実施形態例に係る光学式ピックアップ１のアクチュエータ（対物レンズ駆動装置）３では、ワイヤ８が挿通される支持部材９のガイド孔９ａの先端部９ｂの断面形状が、ワイヤ８に外接させうる程度に小径な正方形に形成されているため、先端部９ｂの四隅に生じやすい成形バリがワイヤ８の挿通を損なう虞はなく、しかも、先端部９ｂの四隅以外の部分でワイヤ８を精度良く位置決めすることができる。また、このガイド孔９ａは全体形状が略円錐状なので、奥行き寸法が短くてもテーパ面（内壁面）の傾斜がさほど緩やかにはならず、かつ、ワイヤ８と嵌合可能なＶ字状溝が該テーパ面に画成されることもない。それゆえ、このガイド孔９ａ内へワイヤ８を挿通させる際に摺動抵抗が不所望に大きくならず、ワイヤ８の挿通作業を円滑に行うことができる。同様に、支持部材９のガイド孔９ａに挿通したワイヤ８をレンズホルダ７のガイド孔７ａに挿通させる際にも、ガイド孔７の先端部の成形バリがワイヤ８の挿通を損なう虞はなく、かつ、該先端部の四隅以外の部分でワイヤ８を精度良く位置決めすることができる。すなわち、本実施形態例においては、アクチュエータ３の組立工程でワイヤ８をガイド孔９ａ，７ａに挿通させることが容易であると共に、これらのガイド孔９ａ，７ａによってワイヤ８を高精度に位置決めすることができる。
【００２４】
なお、上記の実施形態例では、支持部材９のガイド孔９ａの全体形状を略円錐状に形成した場合について説明したが、ガイド孔９ａの全体形状を図６に示すような略八角錐状に形成しても良い。このようにガイド孔９ａを略八角錐状に形成した場合にも、そのテーパ面（内壁面）の傾斜角度を５９度以上に設定することができるため、ガイド孔９ａ内へワイヤ８を挿通させる際の摺動抵抗を十分に抑制することができる。なお、この場合も略八角錐状のガイド孔９ａの先端部９ｂの断面形状は、ワイヤ８に外接させうる程度に小径な正方形に形成しておくことが好ましい。また、ガイド孔９ａの全体形状がＮ＞８なる略Ｎ角錐状に形成されていても、上記の実施形態例とほぼ同様の効果が得られる。
【符号の説明】
【００２５】
１  光学式ピックアップ
２  シャーシ
３  アクチュエータ（対物レンズ駆動装置）
５  フレキシブル配線基板
６  対物レンズ
７  レンズホルダ
７ａ  ガイド孔
８  ワイヤ
９  支持部材
９ａ  ガイド孔
９ｂ  先端部
９ｃ  （基端側の）開口端
１０  背面基板
１０ａ  遊挿孔
１１  磁気回路
１２  ベース部材
【図１】
0005436379.tif 000002
【図２】
0005436379.tif 000003
【図３】
0005436379.tif 000004
【図４】
0005436379.tif 000005
【図５】
0005436379.tif 000006
【図６】
0005436379.tif 000007
【図７】
0005436379.tif 000008
【図８】
0005436379.tif 000009
【図９】
0005436379.tif 000010